(57)【特許請求の範囲】
【請求項１】
外装と、この外装内に形成され、前面に開口を有し食品を収納する加熱室と、この加熱室の前面開口を開閉するドアと、前記加熱室内にマイクロ波を供給するマグネトロンと、食品を載せる棚とを備えた電子レンジにおいて、前記加熱室を形成する側壁部材の下部に、外側に折り曲げた折り曲げ壁を有し、この折り曲げ壁の下面と略密着する底壁部材を設け、この底壁部材の上方には前記棚を載せる段部を形成し、この段部に設けた側壁の上端を前記側壁部材の内面より外側に位置させて、前記段部に設けた側壁と段部と前記折り曲げ壁の下面とで空間を形成し、前記空間とこの空間から前記棚の側面までの間に接着剤を塗布したことを特徴とする電子レンジ。
【請求項２】
請求項１に記載の電子レンジにおいて、前記段部は、略水平に形成され、高さは前記棚の厚さと略同一であることを特徴とする電子レンジ。
【請求項３】
請求項１に記載の電子レンジにおいて、前記接着剤の塗布高さは、前記棚の厚さと略同一であることを特徴とする電子レンジ。
【請求項４】
請求項１に記載の電子レンジにおいて、前記接着剤はシリコンであることを特徴とする電子レンジ。
【発明の詳細な説明】
【０００１】
【発明の属する技術分野】
本発明は、電子レンジに関するものである。
【０００２】
【従来の技術】
図１、図２，図３にて従来例を示す。
【０００３】
図１は、加熱調理器６１の正面断面図である。加熱調理器６１は、外装６２に覆われ、内部に加熱室６３が設けられている。加熱室６３の外部にはマイクロ波を供給するマグネトロン６７が設けられ、前記マイクロ波は導波管６８を通り加熱室６３の底壁（７３、７４）に形成されているマイクロ波給電口６９より、加熱室６３へ導入される。アンテナモ−タ７２が駆動され、軸７０が回転し、軸７０に固定されている回転アンテナ７１が回転することによりマイクロ波は攪拌される。回転アンテナ７１の上に設置している棚６６は、マイクロ波が通過するガラス等の材料で形成されているので、回転アンテナ７１で攪拌されたマイクロ波は前記棚６６を通過し、棚６６の上に載せられた食品は加熱される。また、回転アンテナ７１の近傍には、ヒ−タ７２が設けられている。前記加熱室６３の底壁（７３、７４）には側壁（７３ａ、７４ａ）が形成され、その先端部には前記棚６６を載せる段部（７３ｂ、７４ｂ）が形成されている。
【０００４】
図２は、Ａ部の部分拡大図である。この拡大図において、前記で説明したように、前記側壁７３ａの上端部には棚６６を載せる段部７３ｂが形成されている。前記段部７３ｂの端部はＬ字状に折り曲げられ、形成された壁７３ｃには、略水平面７３ｄが形成されている。前記壁７３ｃの内面は、加熱室６３を形成する側壁部材６４の内面と同一面に形成されている。また、前記壁７３ｃに形成された略水平壁７３ｄは、加熱室６３を形成する側壁部材６４を外側に曲げて形成した略水平壁６４ａとスポットカシメられて略密着している。なお、前記カシメ個所間には、隙間が生じる。前記加熱室６３の側壁部材６４の内面側から前記棚６６の側面まで接着剤であるシリコン７４を塗布している。壁７３ｃは、加熱室３の側壁部材６４と同一面に形成されているので、シリコンが加熱室６３の側壁部材６４と前記壁７３ｃとの内面に接着されても、シリコンが前記内面より剥がれやすい。特に、加熱室６３の側壁部材６４の内面に非粘着性のコ−ティング（フッソコ−ト等）を行った場合、シリコンが接着されず剥がれた状態になる。加熱室６３の右側も同様な状態になる。
【０００５】
図３にシリコンが剥がれた部分拡大断面図を示す。シリコンが前記内面より剥がれた状態になると、前記カシメ個所間に生じる隙間から加熱室３内の水滴等が外部に漏れる。
【０００６】
【発明が解決しようとする課題】
本発明は、加熱室を形成する側壁部材の下部と加熱室の底壁部材とを密着させ、密着部から食品を載せる棚の側面までの間に、シリコン等の接着剤を塗布して接着剤が剥がれるのを防止するとともに、隙間をなくし加熱室内の水滴等が外部に漏れることがない電子レンジを提供する。
【０００７】
また、本発明は、加熱室の底面をマイクロ波が通過するガラス等の材料の棚とし、前記棚の下にマイクロ波攪拌手段と、ヒ−タとを設けたものにおいて、ヒ−タにより加熱される食品を均一に加熱するとともに、マイクロ波による加熱で加熱ムラのない電子レンジを提供する。
【０００８】
【課題を解決するための手段および発明の効果】
本発明に係る第１の電子レンジは、外装と、この外装内に形成され、前面に開口を有し食品を収納する加熱室と、この加熱室の前面開口を開閉するドアと、前記加熱室内にマイクロ波を供給するマグネトロンと、食品を載せる棚とを備えた電子レンジにおいて、前記加熱室を形成する側壁部材の下部に、外側に折り曲げた折り曲げ壁を有し、この折り曲げ壁の下面と略密着する底壁部材を設け、この底壁部材の上方には前記棚を載せる段部を形成し、この段部に設けた側壁の上端を前記側壁部材の内面より外側に位置させて、前記段部に設けた側壁と段部と前記折り曲げ壁の下面とで空間を形成し、前記空間とこの空間から前記棚の側面までの間に接着剤を塗布したことを特徴とする。
【０００９】
従って、接着剤の剥がれを無くすことができ、加熱室内の水滴等が外部に漏れるのを防止することができる。
【００１０】
本発明に係る第２の電子レンジは、前記段部は、略水平に形成され、高さは前記棚の厚さと略同一であることを特徴とする。
【００１１】
従って、段部に載せる棚が傾くのを防ぐとともに、接着剤の剥がれを無くすことができ、加熱室内の水滴等が外部に漏れるのを防止することができる。
【００１２】
本発明に係る第３の電子レンジは、前記接着剤の塗布高さは、前記棚の厚さと略同一であることを特徴とする。
【００１３】
従って、加熱室を形成する側壁部材の下部面と棚との間が略水平になり、側壁下部面と棚との間に水滴等が溜まることがなく、また、加熱室内の水滴等が外部に漏れるのを防止することができる。更に、外観的にも良い。
【００１４】
本発明に係る第４の電子レンジは、前記接着剤はシリコンであることを特徴とする。
【００１５】
従って、塗布し易く、しかも被塗布面との密着性がよく加熱室内の水滴等が外部に漏れるのを防止することができる。また、塗布表面が滑らかである。
【００２２】
【発明の実施の形態】
本発明の実施形態の電子レンジを、図面を参照して説明する。図４は電子レンジの斜視図、図５は電子レンジのドアが開けられたときの部分的な斜視図、図６は左側面断面図、図７は外装を外して右上方から見た電子レンジの斜視図、図８は正面断面図、図９は部分拡大図、図１０は電子レンジの加熱室上に設定されたＸ軸およびＹ軸を模式的に示す図、図１１は他の発明の電子レンジの斜視図、図１２は同正面断面図である。
【００２３】
図４について説明する。電子レンジ１は、主に、本体２と、ドア３とからなる。本体２は、その外郭を、外装部４に覆われている。また、本体２の前面には、ユ−ザが、電子レンジ１に各種の情報を入力するための操作パネル６が備えられている。なお、本体２は、複数の脚８に支持されている。
【００２４】
ドア３は、下端を軸として、開閉可能に構成されている。前記ドア３の上部には、把手３ａが備えられている。図５に、ドア３が開状態とされたときの電子レンジ１を左前方より見た、電子レンジ１の部分的な斜視図を示す。
【００２５】
本体２の内部には、本体枠５が備えられている。本体枠５には、加熱室１０が設けられている。加熱室１０の右側面上部には、孔１０ａが形成されている。孔１０ａには、加熱室１０の外側から、検出経路部材４０が接続されている。
【００２６】
図６に、図４のＡ−Ａ線に沿う矢視断面図を示す。また、図７に、前記外装部４を外した状態にある電子レンジ１を右上方から見た、電子レンジ１の斜視図を示す。さらに、図８に、図４のＢ−Ｂ線に沿う矢視断面図を示す。
図６〜図８を参照して、孔１０ａに接続された検出経路部材４０は、箱形状を有している。なお、検出経路部材４０の、当該箱形状の底面には、食品の温度を検出する赤外線センサ７が取り付けられている。赤外線センサ７は、赤外線をキヤッチするための検出孔２１が設けられている。そして、検出経路部材４０を構成する箱形状の底面上であって、赤外線センサ７の検出孔２１に対向する部分には、検出窓１１が形成されている。
【００２７】
図６において、加熱室１０を形成する側壁部材２８の下部は、略水平な折り曲げ壁２８ａが形成されている。この折り曲げ壁２８ａの下面は、底壁部材２９とカシメられ、略密着している。そして、マイクロ波が通過するガラス等の材料で形成されている棚９を載せる段部３０が設けられている。前記段部３０の側壁３１の上端は前記側壁部材２８の内面より外側に位置している。そして、折り曲げ壁２８ａの下面と側壁３１と段部３０とで空間３２が形成されている。そして、この空間３２とこの空間３２から前記棚９の側面までの間に、接着剤であるシリコン１８が塗布され、隙間が生じないようにしている。従って、シリコン１８の剥がれがなく、隙間がないので、加熱室内の水滴等が外部に漏れるのを防止することができる。また、棚９の前面の空間３２ａにもシリコン１８が塗布され、隙間がないようにしている。前記棚９は段部３０および３０ａの上に載せられている。なお、上記に説明したシリコン１８の塗布関連の説明は、図８において詳細に説明する。
【００２８】
図８において、外装部４の内部には、加熱室１０の右下に隣接するように、マグネトロン１２が備えられている。また、加熱室１０の下方には、前記マグネトロン１２と加熱室１０の下部を接続させる導波管１６が備えられている。前記マグネトロン１２は、導波管１６を介して、前記加熱室１０にマイクロ波を供給する。
【００２９】
また、加熱室１０の下部には、棚９が備えられている。そして、加熱室１０の底壁部材１７と棚９の間には、回転アンテナ１３およびヒ−タ２０が備えられている。前記導波管１６の下方には、アンテナモ−タ１４が備えられている。回転アンテナ１３とアンテナモ−タ１４とは、軸１３ａで接続されている。そして、前記アンテナモ−タ１４が駆動することにより、回転アンテナ１３が回転する。
【００３０】
加熱室１０内では、前記棚９上に、食品が載置される。前記マグネトロン１２の発したマイクロ波は、前記導波管１６を介し、前記回転アンテナ１３によって攪拌されつつ、加熱室１０内に供給される。これにより、棚９上の食品が加熱される。
【００３１】
加熱室１０を形成する側壁部材１９の下部に、外側に折り曲げて形成した折り曲げ壁１９ａが形成されている。この折り曲げ壁１９ａの下面は、底壁部材１７とカシメられ、略密着している。このカシメ個所間には、わずかな隙間がある。前記底壁部材１７の上方には、前記棚９を載せるための段部１７ａが形成されている。前記段部１７ａは略水平で、高さは前記棚９の厚さと略同一に形成し、段部に載せる棚が傾くのを防いでいる。前記段部１７ａに形成している側壁１７ｂの上端は前記側壁部材１９の内面より外側に位置している。そして、折り曲げ壁１９ａの下面と側壁１７ｂと段部１７ａとで空間３４が形成されている。そして、この空間３４とこの空間３４から前記棚９の側面９ａまでの間に、接着剤であるシリコン１８が前記棚９の厚さと略同一の高さで塗布され、隙間が生じないようにしている。
【００３２】
従って、加熱室１０を形成する側壁部材１９の下部面と棚９との間が略水平になり、側壁下部面と棚９との間に水滴等が溜まることがない。更に、外観的にも良い。また、シリコン１８の剥がれがなく、隙間がないので、加熱室１０内の水滴等が外部に漏れない。
【００３３】
加熱室１０を形成する側壁部材１９の内面に非粘着性のコ−ティング（フッソコ−ト等）を行った場合、シリコン１８が側壁部材１９に接着されず剥がれた状態になる。しかし、前記空間３４にシリコン１８を塗布しているので、シリコン１８が加熱室１０を形成する側壁部材１９の下部に形成した折り曲げ壁１９ａの下面と、前記段部１７ａに形成している側壁１７ｂの面とに隙間がないように密着している。従って、シリコン１８が側壁部材１９の内面に接着されず剥がれた状態になっても、加熱室１０内の水滴等が外部に漏れることがない。
【００３４】
なお、右側も前記と同様である。なお、実施例は、接着材としてシリコン１８を使用しているが、シリコン１８は、塗布し易く、しかも被塗布面との密着性がよいので確実に隙間をなくすことができる。また、塗布表面が滑らかである。
【００３５】
図９は、図８のＢ部の部分拡大図であるが、この部分拡大図の説明は、上記と重複するので省略する。
【００３６】
次に、赤外線センサ７について以下説明する。
【００３７】
赤外線センサ７は、視野を有する。そして、電子レンジ１では、加熱室１０の底面に対して、Ｘ軸及びＹ軸が設定されている。赤外線センサ７の視野は、このＸ軸及びＹ軸方向に、移動させることができる。ここで、加熱室１０に対して設定されたＸ軸及びＹ軸について説明する。図１０に、加熱室１０上に設定されたＸ軸およびＹ軸を模式的に示す。
【００３８】
図１０を参照して、加熱室１０には、幅方向にＸ軸が、奥行き方向にＹ軸が、それぞれ設定されている。また、赤外線センサ７は、視野７０を有し、視野７０内で放出される赤外線をキャツチすることができる。視野７０は、加熱室１０の底面（棚９を含む面）上に、楕円として投影される。なお、図１０中の楕円は、Ｘ軸とＹ軸の交点（棚９の中心でもある）を中心とし、Ｘ軸方向に長径を有し、Ｙ軸方向に短径を有する。視野７０は、図１０に示す位置を、その基準とする。
【００３９】
さらに、図７を参照して、赤外線センサ７には、Ｘ方向回動部材２２とＹ方向回動部材２４が取り付けられている。また、赤外線センサ７には、Ｘ方向回動モ−タ２３とＹ方向回動モ−タ２５とが取り付けられている。Ｘ方向回動部材２２は、Ｘ方向回動モ−タ２３が駆動することにより、赤外線センサの視野７０を、Ｘ軸方向に移動させる。また、Ｙ方向回動部材２４は、Ｙ方向回動モ−タ２５が駆動することにより、赤外線センサの視野７０を、Ｙ軸方向に移動させる。
【００４０】
これにより、赤外線センサ７は、加熱室１０の底面のほぼ全域を、視野７０の中に含むことができる。図６および図８において、加熱室１０内で視野７０が移動する最大範囲を総視野７００として示している。つまり、特に、図８を参照して、視野７０は、Ｘ軸方向に、検出窓１１を頂点とし、棚９を底辺とし、頂角の角度がθである三角形を描くように移動する。また、特に、図６を参照して、視野７０は、Ｙ軸方向に、検出窓１１を頂点とし、棚９を底辺とし、頂角の角度がαである三角形を描くように移動する。
【００４１】
Ｘ方向回動部材２２には、Ｘ方向回動モ−タ２３の隣に、該Ｘ方向回動モ−タ２３の駆動態様を検出するためのモ−タ駆動スイッチ２３ａが取り付けられている。また、Ｙ方向回動部材２４には、Ｙ方向回動モ−タ２５の隣に、該Ｙ方向回動モ−タ２５の駆動態様を検出するためのモ−タ駆動スイッチ２５ａが取り付けられている。
【００４２】
次に、他の発明の実施例について、図１１および図１２で説明する。
【００４３】
図１１は、電子レンジの斜視図である。
【００４４】
図１１を参照して、電子レンジ８１には、外装８２と、ドア８３と、操作パネル８４が備えられている。なお、ドア８３には、取っ手８３ａが備えられている。
【００４５】
図１２は、図１１のＷ−Ｗ線に沿う矢視断面図を示す。
【００４６】
図１２において、外装８２の内部には、加熱室８３の右下に隣接するように、マグネトロン８８が備えられている。また、加熱室８３の下方には、前記マグネトロン８８と加熱室８３の下部を接続させる導波管８９とが備えられている。前記マグネトロン８８は、導波管８９とマイクロ波給電口９０とを介して、前記加熱室８３にマイクロ波を供給する。
【００４７】
また、加熱室８３の下方には、食品を載置する棚８５が備えられている。棚８５は、マイクロ波が通過するセラミック等の材料で形成されており、棚８５の下面には凹凸面８５ｂが一体で形成されている。そして、加熱室８３の底壁９１と棚８５との間には、マイクロ波を拡散する拡散手段である回転アンテナ９４と、ヒ−タ９２とが設けられている。前記導波管８９の下方には、アンテナモ−タ９３が備えられている。回転アンテナ９４とアンテナモ−タ９３とは、軸９４ａで接続されている。そして、前記アンテナモ−タ９３が駆動されることにより、回転アンテナ９４が回転する。
【００４８】
加熱室８３内では、前記棚８５に食品が載置される。前記マグネトロン８８より発生されたマイクロ波は、前記導波管８９と給電口９０とを介し、前記回転アンテナ９４によって、マイクロ波は拡散されつつ、加熱室８３内に供給される。これにより、棚８５に載置された食品がマイクロ波により加熱される。
【００４９】
前記棚８５の下面に形成されている凹凸面８５ｂは、前記ヒ−タ９２の熱を乱反射させる手段であり、加熱室８３内で加熱される食品を均一加熱する。更に、マイクロ波による加熱ムラをなくし均一に加熱することができる。前記ヒ−タ９２は、前記棚８５の下面８５ａに形成されている凹面８５ｃに対向する位置に設けられている。従って、ヒ−タ−の熱が乱反射し易い。
【００５０】
なお、前記ヒ−タ９２で食品を加熱する場合は、前記棚８５の上側に設けられた棚８７に食品を載置して加熱する。その理由は、棚８５にヒ−タ９２で加熱する食品を載置すると、加熱温度が高すぎて、食品に必要以上に焦げ易くなるからである。
前記棚８７は、加熱室８３を形成する側壁部材８４に形成された突起８４ａの上に載せて使用する。棚８７に食品を載置して加熱することにより、食品に適度な焦げ目が付き、しかも、均一に加熱できる。
【００５１】
【発明の効果】
第１の発明では、加熱室を形成する側壁部材の下部を外側に折り曲げて形成した折り曲げ壁を有し、この折り曲げ壁と底壁部材を略密着させ、加熱室の底壁部材の上方に棚を載せる段部の上端を前記側壁部材の内面より外側に位置させて、前記段部に形成した側壁と段部と折り曲げ壁の下面とで空間を形成し、前記空間とこの空間から食品を載せる棚の側面までの間に、シリコン等の接着剤を塗布して接着剤が剥がれるのを防止できる。従って、接着剤の塗布面で隙間を無くすことができ、加熱室内の水滴等が外部に漏れることがない。
【図面の簡単な説明】
【図１】従来の電子レンジの正面断面図である。
【図２】図１のＡ部拡大断面図である。
【図３】接着材が剥がれた場合のＡ部拡大断面図である。
【図４】第１の発明の電子レンジの斜視図である。
【図５】同電子レンジのドアを開けたときの斜視図である。
【図６】図４のＡ−Ａ線断面図である。
【図７】外装を外して右上方から見た斜視図である。
【図８】図４のＢ−Ｂ線断面図である。
【図９】図８のＢ部拡大断面図である。
【図１０】赤外線センサの検知視野を示す模式図である。
【図１１】第２の発明の電子レンジの斜視図である。
【図１２】図１１のＷ−Ｗ線断面図である。
【符号の説明】
１          電子レンジ
３          ドア
４          外装
７          赤外線センサ
９          棚
１０        加熱室
１２        マグネトロン
１３        回転アンテナ
１７        底壁部材
１７ａ      段部
１８        シリコン
１９        側壁部材
１９ａ      折り曲げ壁
２８        側壁部材
２８ａ      折り曲げ壁
３１        空間
３２        段部
３４        空間
６１        電子レンジ
６３        加熱室
６４        側壁部材
５６ｂ      凹凸面
５６ｃ      凹面
５８        マグネトロン
６１        電子レンジ
６４ａ      折り曲げ壁
７３ｂ      段部
７３ｃ      壁
７４        シリコン
８３        加熱室
８４        側壁部材
８５        棚
８５ｂ      凹凸面
８５ｃ      凹面
８８        マグネトロン
９１        底壁
９２        ヒ−タ
９３        アンテナモ−タ
９４        回転アンテナ
９４ａ      軸
【図１】
0003760452.tif 000002
【図２】
0003760452.tif 000003
【図３】
0003760452.tif 000004
【図４】
0003760452.tif 000005
【図５】
0003760452.tif 000006
【図６】
0003760452.tif 000007
【図７】
0003760452.tif 000008
【図８】
0003760452.tif 000009
【図９】
0003760452.tif 000010
【図１０】
0003760452.tif 000011
【図１１】
0003760452.tif 000012
【図１２】
0003760452.tif 000013